(57)【要約】【課題】  本スキャンにおいて写真フィルムの搬送に不良が発生した場合には、その不良を精度高く迅速に判別し得る装置を構成する。【解決手段】  写真フィルムＦを搬送する搬送モータＭを駆動する搬送パルスをカウントするカウント手段６５を備え、プレスキャンにおいてパーフォレーションセンサＳｐでパーフォレーションＦｐで検出したパーフォレーションＦｐの形成間隔に対応した距離だけ写真フィルムＦを搬送した際のカウント手段６５のカウント値と、本スキャンにおいてパーフォレーションセンサＳｐで検出したパーフォレーションＦｐの形成間隔に対応した距離だけ写真フィルムＦを搬送した際のカウント手段６５のカウント値との差を求め、この差が予め設定された値を超えている場合には搬送不良とする判別手段６７を備えた。【選択図】        図７
2006339992.tif 000002
【特許請求の範囲】
【請求項１】
搬送モータの駆動力で現像済み写真フィルムを長手方向に搬送する搬送部と、前記写真フィルムの前記所定領域の画像データを取得する光電変換部と、前記写真フィルムに形成されたパーフォレーションの存否を判別するパーフォレーション検出部とを備え、
前記搬送部による写真フィルムの搬送とともに前記光電変換部で写真フィルムの画像データを低解像度で取得し、かつ、パーフォレーションの形成間隔情報を取得するプレスキャンモードでの処理、及び、前記搬送部による写真フィルムの搬送とともに前記光電変換部で写真フィルムのコマの画像データを高解像度で取得し、かつ、パーフォレーションの形成間隔情報を取得する本スキャンモードでの処理を行うスキャニング制御部を備えているフィルム処理装置であって、
前記スキャニング制御部は、前記搬送モータの駆動と同期した同期信号をカウントするカウント手段を備え、
前記本キャンモードでの処理において取得したパーフォレーションの形成間隔情報に対応する前記カウント手段のカウント値と、前記プレキャンモードでの処理において取得したパーフォレーションの形成間隔情報に対応する前記カウント手段のカウント値とを比較し、設定された値以上の差を判別した場合に搬送不良であると判別する判別手段を備えているフィルム処理装置。
【請求項２】
前記判別手段は、前記プレスキャンモードでの処理における前記複数のカウント値の積算値と、前記本スキャンモード処理における前記複数のカウント値の積算値とを比較し、設定された値以上の差を判別した場合に搬送不良であると判別する請求項１記載のフィルム処理装置。
【請求項３】
前記スキャニング制御部は、前記プレスキャンモードでの処理において、前記光電変換部でのスキャニングタイミングを前記同期信号に関連付けたタイミングデータとしてタイミング記憶部に記憶するスキャニング位置記憶手段を備え、このプレスキャンモードでの処理で取得した画像データと、スキャニング位置記憶手段で取得したタイミングデータとに基づいてコマ画像データの位置を抽出するコマ領域抽出手段を備えている請求項１又は２記載のフィルム処理装置。
【請求項４】
前記スキャニング制御部が、前記プレスキャンモードでの処理では、前記搬送部によって前記写真フィルムを順方向に搬送し、前記カウント値を順方向にカウントすることにより前記パーフォレーション検出部からパーフォレーションの検出位置をカウント値に関連付けてパーフォレーション位置記憶手段に記憶する処理を行い、搬送端において写真フィルムを停止させると共に、
この停止位置を基準位置に設定した後に、前記本スキャンモードでの処理では、前記搬送部によって前記写真フィルムを逆方向に搬送し、前記カウント値を逆方向にカウントすることにより前記パーフォレーション位置記憶手段からパーフォレーションの検出位置を読出す処理を行う請求項３記載のフィルム処理装置。
【請求項５】
前記本スキャンモードでの処理によって複数のコマの画像データを取得する際に、前記判別手段によって搬送不良を判別した際には、搬送不良を判別した領域に対応するコマの画像データを破棄する請求項１〜４のいずれか１項に記載のフィルム処理装置。
【請求項６】
前記本スキャンモードでの処理によって複数のコマの画像データを取得する際に、前記判別手段によって搬送不良を判別した際には、搬送不良を判別したタイミングで搬送を停止する請求項１〜５のいずれか１項に記載のフィルム処理装置。
【発明の詳細な説明】
【技術分野】
【０００１】
本発明は、現像済み写真フィルムを長手方向に搬送する搬送部と、前記写真フィルムの所定領域の画像データを取得する光電変換部と、前記写真フィルムに形成されたパーフォレーションの存否を判別するパーフォレーション検出部とを備え、前記搬送部による写真フィルムの搬送とともに前記光電変換部で写真フィルムの画像データを低解像度で取得し、かつ、パーフォレーションの形成間隔情報を取得するプレスキャンモードでの処理、及び、前記搬送部による写真フィルムの搬送とともに前記光電変換部で写真フィルムのコマの画像データを高解像度で取得し、かつ、パーフォレーションの形成間隔情報を取得する本スキャンモードでの処理を行うスキャニング制御部を備えているフィルム処理装置に関し、詳しくは、写真フィルムの搬送不良を判別する技術に関する。
【背景技術】
【０００２】
フィルムスキャナを例に挙げると、写真フィルムを搬送する搬送部には写真フィルムを圧着する複数のローラと、このローラを駆動するステッピングモータ等を備えているものが一般的である。このような構造であるため、写真フィルムを搬送する際にはローラと写真フィルムとの間で滑りが発生して写真フィルムを適正に搬送できないこともある。
【０００３】
上記の不都合を改善するために、特許文献１では、モータで駆動されるローラで写真フィルムを搬送する搬送系を備え、このモータの回転量を計測するエンコーダを備え、写真フィルムのパーフォレーションを検出するパーフォレーションセンサを備え、パーフォレーションセンサからのパルス信号を入力するカウンタと、このカウンタからのカウント値と基準カウント値とを比較する比較器とを備えている。この特許文献１では、写真フィルムの搬送時にパーフォレーションセンサでパーフォレーションを検出する１周期の間におけるパルス信号のカウント値が基準カウント値を超えた場合には、異常検出信号を出力するように構成されている。
【０００４】
【特許文献１】特開平７‐２４４３１１号公報  （段落番号〔００３０〕、〔００３１〕、図１、図４）
【発明の開示】
【発明が解決しようとする課題】
【０００５】
この種の不都合を判別するために、特許文献１に示された技術が有効となるが、この特許文献１に示された技術では、写真フィルムの搬送時の異常を検出する際に、パーフォレーションの検出周期におけるパルス信号のカウント値に基づいて処理を行うため、１周期の間におけるパルス信号に対応する基準カウント値を予め設定しておく必要がある。尚、１３５サイズのフィルム（３５ｍｍフィルム）でも、２４０サイズのフィルム（ＡＰＳフィルム）でも、パーフォレーションの大きさや間隔は規格化された決まった値であるが、夫々のフィルムについて対応した基準カウント値を設定することになる。
【０００６】
しかしながら、パーフォレーションを検出する１周期（先のパーフォレーションの検出から次のパーフォレーションを検出するまでの間隔）におけるパルス信号をカウントするものでは、パーフォレーションの１ピッチ分搬送した後に、異常の有無を判別するため異常の検出まで比較的長い時間を要する。そして、異常の検出時に搬送を停止する処理を行うものでは、例えば、搬送に異常がある状況で本スキャンモードでの処理を行った場合には、本スキャンモードでの処理では写真フィルムを搬送する速度が比較的低速であるため、搬送を停止するまでの時間が無駄になり改善の余地がある。
【０００７】
本発明の目的は、本スキャンモードでの処理におい写真フィルムの搬送不良が発生した場合には、その不良を精度高く迅速に判別し得る装置を合理的に構成する点にある。
【課題を解決するための手段】
【０００８】
本発明の特徴は、間歇信号と同期駆動される搬送モータの駆動力で現像済み写真フィルムを長手方向に搬送する搬送部と、前記写真フィルムの所定領域の画像データを取得する光電変換部と、前記写真フィルムに形成されたパーフォレーションの存否を判別するパーフォレーション検出部とを備え、
前記搬送部による写真フィルムの搬送とともに前記光電変換部で写真フィルムの画像データを低解像度で取得し、かつ、パーフォレーションの形成間隔情報を取得するプレスキャンモードでの処理、及び、前記搬送部による写真フィルムの搬送とともに前記光電変換部で写真フィルムのコマの画像データを高解像度で取得し、かつ、パーフォレーションの形成間隔情報を取得する本スキャンモードでの処理を行うスキャニング制御部を備えているフィルム処理装置において、
前記スキャニング制御部は、前記搬送モータの駆動と同期した同期信号をカウントするカウント手段を備え、
前記本キャンモードでの処理において取得したパーフォレーションの形成間隔情報に対応する前記カウント手段のカウント値と、前記プレキャンモードでの処理において取得したパーフォレーションの形成間隔情報に対応する前記カウント手段のカウント値とを比較し、設定された値以上の差を判別した場合に搬送不良であると判別する判別手段を備えている点にある。
【０００９】
この構成により、プレスキャンモードでの処理において写真フィルムを搬送時し、先のパーフォレーションと次のパーフォレーションとの形成間隔（例えば、形成ピッチ）に対応する距離を搬送した際のカウント手段のカウント値と、本スキャンモードでの処理において写真フィルムを搬送し、先のパーフォレーションと次のパーフォレーションとの形成間隔（例えば、形成ピッチ）に対応する距離を搬送した際のカウント手段のカウント値とを比較し、夫々のカウント値に差を判別した際には判別手段が搬送不良であると判別するので、外部からのパルス信号とカウント値とを比較するもの比べて判別性能を高くできる。従って、本スキャンモードでの処理で写真フィルムの搬送不良を精度高く迅速に判別し得る装置を構成できた。
【００１０】
本発明は、前記判別手段は、前記プレスキャンモードでの処理における前記複数のカウント値の積算値と、前記本スキャンモード処理における前記複数のカウント値の積算値とを比較し、設定された値以上の差を判別した場合に搬送不良であると判別しても良い。
【００１１】
この構成により、例えば、連続する複数のパーフォレーションに対応した領域における搬送不良を判別することが可能になるばかりでなく、速度に乱れがあるものの平均的な速度が適正である場合には、適正な搬送であると判断できるものとなり誤検出を排除して適正な判別が可能となる。
【００１２】
本発明は、前記スキャニング制御部は、前記プレスキャンモードでの処理において、前記光電変換部でのスキャニングタイミングを前記同期信号に関連付けたタイミングデータとしてタイミング記憶部に記憶するスキャニング位置記憶手段を備え、このプレスキャンモードでの処理で取得した画像データと、スキャニング位置記憶手段で取得したタイミングデータとに基づいてコマ画像データの位置を抽出するコマ領域抽出手段を備えても良い。
【００１３】
この構成により、プレスキャンモードでの処理によって取得した画像データから、抽出手段がコマ領域を特定し、このように特定したコマ領域をタイミングデータと関連付けることにより、本スキャンモードでの処理においてスキャニングを行うべきコマ領域をカウント手段でカウントするカウント値に関連付けることが可能となる。
【００１４】
本発明は、前記スキャニング制御部が、前記プレスキャンモードでの処理では、前記搬送部によって前記写真フィルムを順方向に搬送し、前記カウント値を順方向にカウントすることにより前記パーフォレーション検出部からパーフォレーションの検出位置をカウント値に関連付けてパーフォレーション位置記憶手段に記憶する処理を行い、搬送端において写真フィルムを停止させると共に、
この停止位置を基準位置に設定した後に、前記本スキャンモードでの処理では、前記搬送部によって前記写真フィルムを逆方向に搬送し、前記カウント値を逆方向にカウントすることにより前記パーフォレーション位置記憶手段からパーフォレーションの検出位置を読出す処理を行っても良い。
【００１５】
この構成により、プレスキャンモードでの処理によって写真フィルムを順方向に搬送し、このプレスキャンモードでの処理を終了した後には、本スキャンモードでの処理において写真フィルムを逆方向に搬送してコマ領域の画像データを取得するので写真フィルムの搬送に無駄がなく、カウント値とパーフォレーション検出部とを用いてコマ領域を特定する処理も合理的に行える。
【００１６】
本発明は、前記本スキャンモードでの処理によって複数のコマの画像データを取得する際に、前記判別手段によって搬送不良を判別した際には、搬送不良を判別した領域に対応するコマの画像データを破棄しても良い。
【００１７】
この構成により、判別手段で搬送不良を判別した際には、搬送不良に対応する領域のコマの画像データを破棄することにより、不良な画像データを用いた処理を行うことがない。
【００１８】
本発明は、前記本スキャンモードでの処理によって複数のコマの画像データを取得する際に、前記判別手段によって搬送不良を判別した際には、搬送不良を判別したタイミングで搬送を停止しても良い。
【００１９】
この構成により、判別手段で搬送不良を判別した際には、搬送を停止することにより、例えば、搬送系の異常によって写真フィルムの搬送不能な状況に陥った場合には、搬送不能に陥った直後に搬送を停止して写真フィルムを傷める不都合を解消できる。
【発明を実施するための最良の形態】
【００２０】
以下、本発明の実施形態を図面に基づいて説明する。
〔全体構成〕図１に示すように、フィルムスキャナ１と、処理装置２と、ディスプレイ３とでフィルム処理装置が構成されている。このフィルム処理装置ではフィルムスキャナ１で取得した画像データを前記処理装置２が前記ディスプレイ３に表示し、オペレータがキーボード４、あるいは、マウス５を用いた操作を行うことにより、オーダデータを生成し、そのオーダデータとともに画像データを写真プリント装置６に伝送して銀塩印画紙等のプリント媒体へのプリントを行うことや、処理装置２のメディアドライブ７においてＣＤ−Ｒ等のメディアに保存する処理を行える。尚、前記画像データとは後述するフィルム画像データと、コマ画像データとの総称である。
【００２１】
前記写真プリント装置６は、デジタル型のプリントヘッドで銀塩印画紙に対する露光を行った後に現像処理を行うものを想定しているが、プリント媒体として専用のペーパを用い昇華型のプリントヘッドでプリントを行うものや、インクジェット型のプリントヘッドを用いてプリントを行うものであっても良い。
【００２２】
〔フィルムスキャナ〕図２に示すように、前記フィルムスキャナ１は、光源ユニットＡ、フィルムキャリアＢ（写真フィルムＦを長手方向に搬送する搬送部の一例）、レンズユニットＣ、光電変換部としての光電変換ユニットＤ、主制御ユニットＥを備えている。このフィルムスキャナ１は光源ユニットＡからの光線を、フィルムキャリアＢに支持された現像済みの写真フィルムＦに照射し、この写真フィルムＦを透過した光線を前記レンズユニットＣが光電変換ユニットＤに導き、この光電変換ユニットＤにおいて可視光をＲ（赤）・Ｇ（緑）・Ｂ（青）の３原色に色分解した画像データとして取得すると同時に、赤外光を画像データとして取得する。
【００２３】
〔光源ユニット〕光源ユニットＡは、ケース１０の内部空間に対して複数の緑色の発光ダイオード１１Ｇを主走査方向に直線状に配置した第１基板Ｐ１と、複数の青色の発光ダイオード１１Ｂを主走査方向に直線状に配置した第２基板Ｐ２と、複数の赤色の発光ダイオード１１Ｒと、複数の赤外光の発光ダイオード１１ＩＲとを交互に主走査方向に配置した第３基板Ｐ３とを備えると共に、夫々の発光ダイオードからの光線を平行光線化するように、対応する発光ダイオード１１（複数種の発光ダイオードの上位概念）に焦点位置を設定してシリンドリカル型の平行化レンズ１２を備えている。尚、前記基板Ｐ１、Ｐ２、Ｐ３には放熱用のフィン１３を備えており、ケース１０にはフィン１３に対して外部の空気を冷却風として供給するファン（図示せず）を備えている。
【００２４】
前記平行化レンズ１２からの光線は２つのダイクロイックミラー型のミラー１４から光軸Ｌに沿って上方に送られ、拡散板１５を介して前記フィルムキャリアＢに導かれる。この光軸Ｌに対し、電磁アクチュエータ１６からの駆動力によって機能位置と、離間位置とに切り換え自在にＮＤフィルタ１７を配置している。前記拡散板１５は光軸Ｌに沿って送られる光線の主走査方向での光量の平均化を図るものであり、前記ＮＤフィルタ１７はメンテナンス時等、光電変換ユニットＤに対して送られる光線の光量を減ずる減光手段として機能する。
【００２５】
〔フィルムキャリア〕図２及び図３には１３５サイズ（３５ｍｍ）の写真フィルムＦ専用のフィルムキャリアＢを示しており、このフィルムキャリアＢは一方の端部に写真フィルムを導入する導入部Ｊが形成されると共に、内部には導入部Ｊからの写真フィルムＦを搬送する搬送経路Ｋが形成され、この搬送経路Ｋの中間位置にはスリット状のスキャニングゲートＧが形成され、この搬送経路の終端位置には写真フィルムＦを巻き取る巻取ユニットＷが配置される。
【００２６】
このフィルムキャリアＢは、下部ケース２０と上部ケース３０とをヒンジＨを介して開閉自在に連結している。上部ケース３０と下部ケース２０とで挟まれる位置に前記搬送経路Ｋを形成している。また、下部ケース３０の下面側において前記光源ユニットＡからの光線をスキャニングゲートＧに導く位置にシリンドリカル型又はトロイダル型の集光レンズ２１を備えている。
【００２７】
前記搬送経路Ｋは下部ケース２０に対して形成された搬送溝部２０Ｋと、上部ケース３０に対して形成された搬送溝部３０Ｋとで構成される。また、前記下部ケース２０の搬送溝部２０Ｋにはステッピングモータ型の搬送モータＭからの動力がタイミングベルト２２を介して伝えられる複数の駆動軸２３に対して一対の駆動ローラ２４を備えており、この搬送溝部２０Ｋの搬送終端位置に前記巻取ユニットＷを配置している。この巻取ユニットＷには前記駆動軸２３からの動力がタイミングベルト２５を介して伝えられる。
【００２８】
また、下部ケース２０には前記搬送モータＭを制御するモータ制御ユニット２６を備えている。このモータ制御ユニット２６は、後述する同期信号発生回路８１からのパルス信号に基づいて搬送モータＭを駆動するパルス信号（間歇信号の一例）を生成する。
【００２９】
前記上部ケース３０において前記駆動軸２３と対向する位置に支軸３３を配置し、また、前記駆動ローラ２４と対向する位置には、駆動ローラ２４と圧着する従動ローラ３４を遊転支承している。
【００３０】
前記フィルムキャリアＢで使用する写真フィルムＦは図１２に示すように、幅方向での両端部に長手方向に沿って複数のパーフォレーションＦｐが形成され、幅方向の中央位置にコマＦｆが形成され、パーフォレーションＦｐより更に外端部にバーコードＦｂが形成されている。同図に示すように、写真フィルムＦの長手方向に沿う方向が  副走査方向であり、この副走査方向と直交する方向を主走査方向と称している。
【００３１】
前記搬送経路Ｋに送られる写真フィルムＦの存否を判別する第１存否センサＳ１と第２存否センサＳ２とを前記スキャニングゲートＧより導入部Ｊの側に配置しており、第３存否センサＳ３を前記スキャニングゲートＧより巻取ユニットＷの側に配置し、この搬送経路Ｋを送られる写真フィルムＦのパーフォレーションＰの存否を判別するパーフォレーションセンサＳｐ（パーフォレーション検出部の一例）を前記スキャニングゲートＧより巻取ユニットＷの側に配置し、更に、前記スキャニングゲートＧより導入部Ｊの側に写真フィルムＦに形成されたバーコードＦｂのデータを読み取る一対のバーコードセンサＳｂを備えている。
【００３２】
前記第１、第２、第３存否センサＳ１、Ｓ２、Ｓ３は、下部ケース２０に備えた発光ダイオードで成る光源４０と、これと対向する位置で上部ケース３０に備えたフォトダイオードやフォトトランジスタで成る受光素子４１とで構成されている。前記パーフォレーションセンサＳｐも同様に下部ケース２０に備えた光源４０と、これと対向する位置で上部ケース３０に備えた受光素子４１とで構成されている。一対のバーコードセンサＳｂも同様に下部ケース２０に備えた光源４０と、これと対向する位置で上部ケース３０に備えた受光素子４１とで構成されている。
【００３３】
前記巻取ユニットＷは、巻取空間の中心位置に配置した巻取ドラム４３と、この周囲に配置した支軸４４に対して揺動自在に支持された揺動アーム４５に遊転支持したガイドローラ４６とを備えており、揺動アーム４５の揺動端を巻取ドラム４３に接近させるように付勢することにより、前記搬送経路Ｋに送られた写真フィルムＦをガイドローラ４６によって巻取ドラム４３の外周に押し付ける形態で巻き付ける形態で、この巻取ドラム４３に巻き取るように機能する。
【００３４】
〔レンズユニット〕前記レンズユニットＣは、ズーム型の光学レンズ４８を備えると共に、この光学レンズ４８の焦点を合わせる合焦モータ（図示せず）と、この光学レンズ４８の焦点距離を設定するズームモータ（図示せず）と、これらを制御するレンズ制御ユニット４９を備えており、フィルムキャリアＢに支持された写真フィルムＦの画像を前記光電変換ユニットＤに内蔵した前記ラインセンサ５１、５２の光電変換面に対して任意の拡大率で結像させるよう構成されている。
【００３５】
〔光電変換ユニット〕前記光電変換ユニットＤは、Ｒ（赤）、Ｇ（緑）、Ｂ（青）の３原色に対応した３ライン型の可視光用のラインセンサ５１と、赤外光（ＩＲ）を感知する１ライン型の赤外光用のラインセンサ５２とを内蔵すると共に、前記光学レンズ４８からの可視光を透過させ、赤外光を反射させるダイクロイックミラー型のスプリッター５３を内蔵している。可視光用のラインセンサ５１と、赤外光用のラインセンサ５２とは、前記写真フィルムＦの長手方向と直交する主走査方向と平行する方向に沿って多数の光電変換素子を配置した構造を有しており、前記光学レンズ４８からの光線をスプリッター５３から可視光用のラインセンサ５１に導いて結像させる同時に、スプリッター５３で反射させて赤外光用のラインセンサ５２に導いて結像させる。
【００３６】
可視光用のラインセンサ５１で取得した画像データ（後述するコマ画像データ）はプリントに用いられ、赤外光用のラインセンサ５２で取得した画像データ（後述するコマ画像データ）は写真フィルムＦのゴミや傷に起因する欠陥領域を特定し、濃度調整処理や、ニアレストネイバー法、バイリニア法、バイキュービック法等による補間処理によって欠陥を修正する処理に利用される。
【００３７】
このようにフィルムスキャナ１によって写真フィルムの画像データを取得する処理は前記主制御ユニットＥと前記処理装置２とによって実現するものであり、その構成と処理形態を以下に説明する。なお、この主制御ユニットＥと前記処理装置２とによってスキャニング制御部が構成されている。
【００３８】
〔フィルムスキャナの制御構成〕本発明のフィルム処理装置の制御系の概略を図４のように示すことが可能である。つまり、前記主制御ユニットＥは、情報のアクセスを許す入出力インタフェース６１と、この入出力インタフェース６１からの情報を処理するマイクロプロセッサＣＰＵとを備えている。入出力インタフェース６１に対して前記光源ユニットＡのラインセンサ５１、５２、前記レンズ制御ユニット４９、前記モータ制御ユニット２６、前記第１、第２、第３存否センサＳ１、Ｓ２、Ｓ３、パーフォレーションセンサＳｐ、バーコードセンサＳｂ夫々に対する情報のアクセス系が形成されている。また、前記マイクロプロセッサのデータバスに対してプレスキャン実行手段６３、本スキャン実行手段６４、カウント手段６５、スキャニングデータ記憶部６６、判別手段６７夫々に対する情報のアクセス系が形成されている。
【００３９】
前記スキャニングデータ記憶部６６は、ＲＡＭ等の半導体型のメモリで構成され、プレスキャンモードでの処理（プレスキャンと称する）において前記パーフォレーション検出部でパーフォレーションを検出したタイミングをカウント手段６５からのカウント値（カウント値に対応したアドレス）に関連付けて記憶するパーフォレーション位置記憶手段６６Ａと、プレスキャンにおいて、前記ラインセンサ５１、５２でのスキャニングタイミングをカウント手段６５からのカウント値（カウント値に対応したアドレス）に関連付けて記憶するスキャニング位置記憶手段６６Ｂとで構成されている。
【００４０】
前記パーフォレーション位置記憶手段６６Ａは、プレスキャンにおいて、前記パーフォレーションセンサＳｐがパーフォレーションＦｐを検出した状態における前記カウント手段６５のカウント値を検出カウント値として記憶するカウント値記憶手段として機能する。尚、このパーフォレーション位置記憶手段６６ＡはパーフォレーションセンサＳｐがパーフォレーションＦｐを検出した状態が継続する限り、連続するアドレスに検出状態を示すデータを記憶するものであり、カウント値を積算した数値を記憶するものではないが、例えば、パーフォレーションセンサＳｐが検出するパーフォレーションＦｐ毎に、パルス信号のカウント値を積算した数値として記憶するように処理形態を設定しても良い。
【００４１】
前記プレスキャン実行手段６３、本スキャン実行手段６４、カウント手段６５、判別手段６７夫々は処理装置２にインストールされたソフトウエアを想定しているが、ハードウエアで構成することや、ハードウエアとの組み合わせで構成しても良い。
【００４２】
この主制御ユニットＥは、前記処理装置２と通信回線を介して情報をアクセスできるように接続され、前記処理装置２の制御系を同図のように示すことが可能である。つまり、この処理装置２は情報のアクセスを許す入出力インタフェース７１と、この入出力インタフェース７１からの情報を処理するマイクロプロセッサＣＰＵとを備えている。入出力インタフェース７１に対して前記ディスプレイ３、キーボード４、マウス５、メディアドライブ７、ハードディスクＨＤ夫々に対する情報のアクセス系が形成されると共に、通信回線を介して写真プリント装置６と情報をアクセスできるように接続されている。また、前記マイクロプロセッサのデータバスに対してプレスキャンデータ取得手段７３、コマ領域抽出手段７４、オーダデータ取得手段７５、本スキャンデータ取得手段７６、オーダ実行手段７７、エラー処理手段７８夫々に対する情報のアクセス系が形成されている。
【００４３】
前記プレスキャンデータ取得手段７３、コマ領域抽出手段７４、オーダデータ取得手段７５、本スキャンデータ取得手段７６、オーダ実行手段７７、エラー処理手段７８夫々は処理装置２にインストールされたソフトウエアを想定しているが、ハードウエアで構成することや、ハードウエアとの組み合わせで構成しても良い。
【００４４】
〔スキャニング形態〕このフィルム処理装置での写真フィルムＦの処理形態の概要を、図５に示すフローチャートに基づいて説明する。このフィルムスキャナ１は、１３５サイズ、２４０サイズ、１２０・２２０サイズ等の複数種の写真フィルムＦに対応したフィルムキャリアＢを用いて写真フィルムＦのスキャニングを実行することにより、前記プレスキャン実行手段６３がプレスキャンによって、写真フィルムＦをフィルムキャリアＢに順方向に送り込みながらフィルム画像データ（写真フィルムＦのコマ画像データを抽出せずにフィルム１本分のデータを含む構造のデータ）を低解像度で取得する（画素数の少ない画像データを取得する）（＃ａ）。
【００４５】
次に、このプレスキャンで取得したフィルム画像データから処理装置２のコマ領域抽出手段７４がコマ領域を抽出し（＃ｂ）、前記オーダデータ取得手段７５が、ディスプレイ３のプレジャッジ画面（図示せず）を表示し、このプレジャッジ画面に対して前記コマ領域の画像データをサムネイル形式で表示することにより、オペレータに対してプリント対象とするコマの指定、プリントサイズ、プリント枚数の設定を求め、この設定からオーダデータを取得する（＃ｃ）。
【００４６】
このコマの指定、プリントサイズの設定、プリント枚数の設定によって設定されるデータをオーダデータと称する。また、写真フィルムＦから取得した画像データの処理形態として、前記メディアドライブ７にセットしたＣＤ−ＲやＤＶＤ−Ｒ等のメディアに書込む処理も考えられる。
【００４７】
次に、前記本スキャン実行手段６４はフィルムスキャナ１がオーダデータにおいて指定されたコマの画像データを取得するように本スキャンモードでの処理（本スキャンと称する）を実行することにより、写真フィルムＦを逆方向に送りながらコマ画像データを高解像度で取得し（＃ｄ）、この画像データをオーダデータとともに処理装置２が写真プリント装置６に転送することにより写真プリント装置６がプリント処理を実行する（＃ｅ）。
【００４８】
〔プレスキャンモードでの処理〕（前記プレスキャン実行手段６３による処理）におけるデータの処理形態の概要を図６のように示している。つまり、同期信号発生回路８１で発生させたパルス信号を、ドライバとして機能する前記モータ制御ユニット２６に与えることにより、搬送モータＭをパルス信号と同期して正転方向に駆動する。
【００４９】
この同期信号発生回路８１で発生させたパルス信号はアドレスカウンタで成る前記カウント手段６５に与えられ、このカウント手段６５は、半導体型のメモリで成るスキャニングデータ記憶部６６のアドレスを指定する。前記同期信号発生回路８１で発生させたパルス信号は前記ラインセンサ５１、５２から画像データの取得を制御するラインセンサ制御手段８２に与えられる。
【００５０】
また、前記パーフォレーションセンサＳｐからの検出信号が波形成形手段８３で成形された後に前記スキャニングデータ記憶部６６に書込む書込み系を形成し、前記ラインセンサ制御手段８２でスキャニングを行ったタイミングを示すタイミングデータを前記スキャニングデータ記憶部６６に書込む書込み系を形成している。
【００５１】
前記モータ制御ユニット２６、前記カウント手段６５、前記ラインセンサ制御手段８２夫々に与えられるパルス信号は、同じ周波数の信号でなくとも同期した信号であれば良く、カウント手段６５、ラインセンサ制御手段８２、波形成形手段８３はハードウエアで構成する必要はなく、ソフトウエアで構成することやソフトウエアとの組み合わせによって構成しても良い。
【００５２】
前記スキャニングデータ記憶部６６を構成する半導体型のメモリは前記タイミングデータと、検出データとを書込むために異なる領域が必要となるものの、タイミングデータと検出データとは夫々とも存否を示すデータであるため、夫々１ビットの領域で済むものであり、例えば、指定されたアドレスに８ビット（１バイト）のデータを書込み得る性能のメモリであれば、例えば、同じアドレスの８ビットの領域のうち１ビット目をタイミングデータの領域に設定し、２ビット目の領域を検出データの領域に設定することも可能である。
【００５３】
前記プレスキャンを行う際には、前記同期信号発生回路８１に対してプレスキャンモードでの処理を実行するパルス信号を発生させるデータが与えられ、前記モータ制御ユニット２６に搬送モータＭを正転させるデータが与えられ、前記カウント手段６５にカウント値をインクリメントするデータが与えられ、前記スキャニングデータ記憶部６６に書込みを行わせるデータが与えられる。
【００５４】
前記プレスキャン実行手段６３がプレスキャンを行う場合には、図８のフローチャートに示すように、前記同期信号発生回路８１でプレスキャンの周波数となるパルス信号を発生させ、このパルス信号と同期して搬送モータＭが正転方向に駆動され、前記第１存否センサＳ１と第２存否センサＳ２とで写真フィルムＦの先端を検出した場合には、その検出タイミングを基準にして予め設定されたタイミングに達すると、予め設定されたインターバルでスキャニングを開始する（＃１０１、１０２ステップ）。
【００５５】
このようにプレスキャンを開始する際には前記光源ユニットＡの発光ダイオード１１を発光状態に維持し、前記レンズユニットＣの光学レンズ４８をプレスキャンに適した拡大率に設定する。
【００５６】
このスキャニングが開始されると、搬送モータＭを駆動する搬送パルス信号と同期してカウント手段６５がスキャニングデータ記憶部６６（メモリ）のアドレスをインクリメントし、ラインセンサ制御手段８２がスキャニングを行う毎に、スキャニングで取得した画像データを前記処理装置２に転送すると同時に、そのスキャニングタイミングを示すタイミングデータがスキャニングデータ記憶部６６のスキャニング位置記憶手段６６Ｂに書込まれる。また、写真フィルムＦの搬送に伴ってパーフォレーションセンサＳｐがパーフォレーションＦｐを検出した場合には、検出データがスキャニングデータ記憶部６６のパーフォレーション位置記憶手段６６Ａに書込まれる（＃１０３ステップ）。尚、この検出データはパーフォレーションＦｐの副走査方向の大きさに対応してパーフォレーションセンサＳｐから継続的に取得されるため、この検出データは連続的したアドレスに記憶される。
【００５７】
この＃１０３ステップの処理は前記第３存否センサＳ３での写真フィルムＦの終端位置を検出するまで継続し、写真フィルムＦの終端を検出した場合には、前記プレスキャン実行手段６３が写真フィルムＦの搬送速度をスローダウンした後に、搬送とスキャニングとを停止し、スキャニングデータ記憶部６６のカウント値（アドレス値）に関連付けて記憶したタイミングデータと、検出データとを前記処理装置２に転送する（＃１０４、＃１０５ステップ）。
【００５８】
プレスキャンが終了すると、プレスキャンによって取得したフィルム画像データは、前記処理装置２のコマ領域抽出手段７４が写真フィルムＦのコマＦｆに対応したコマ領域を抽出し、前記オーダデータ取得手段７５がコマ領域の画像データをサムネイル形式で前記プレジャッジ画面に表示する。
【００５９】
図面には示さないが、コマ領域抽出手段７４は、プレスキャンによって取得したフィルム画像データから画像処理によってコマ領域を抽出する処理を行うと共に、このように抽出したコマ領域の位置を、前記主制御ユニットＥから転送された総カウント値と、タイミングデータと、検出データとに基づいて、写真フィルム上のコマＦｆの位置を特定できるデータを生成する。
【００６０】
このように生成されたデータは、コマ領域の副走査方向での両端位置を示すカウント値と、本スキャンにおいて写真フィルムＦを搬送する方向で、コマ領域の上流側に隣接するパーフォレーションＦｐを特定するパーフォレーションＦｐの計数値とを含んでいる。尚、パーフォレーションＦｐの計数値とは、本スキャンにおける写真フィルムＦの搬送方向で、パーフォレーションセンサＳｐで最初に検出するパーフォレーションＦｐの計数値を「１」（「０」等の任意の数値でも良い）とした場合に、アップカウントによって取得される数値である。
【００６１】
前記プレジャッジ画面においてオペレータがプリント対象とするコマを指定し、プリントサイズを指定し、プリント枚数を設定した後には、プリント対象に指定したコマ領域を特定するように、基準位置から前記目標パーフォレーションＦｐｔ（図１２を参照）までのパーフォレーションＦｐの数（計数値）と、この目標パーフォレーションＦｐｔの位置を基準としたスキャニング開始側のカウント値と、スキャニング終了側のカウント値とを設定する。この設定は、プリント対象としたコマ全てに対して行われるものであり、このように設定されたデータは前記本スキャン実行手段６４に与えられる。そして、このコマ領域データが与えられると、本スキャン実行手段６４による本スキャンが開始される。
【００６２】
〔本スキャンモードでの処理〕（前記本スキャン実行手段６４による処理）におけるデータの処理形態の概要を図７のように示している。この本スキャンを可能にする構成は前記プレスキャンを実行するものと基本的に変わるものではなく、本スキャンでは、前記同期信号発生回路８１に対して本スキャンを実行するパルス信号を発生させるデータが与えられ、前記モータ制御ユニット２６に搬送モータＭを逆転させるデータが与えられ、前記カウント手段６５にカウント値をデクリメントするデータが与えられる。
【００６３】
また、前記同期信号発生回路８１から前記カウント手段６５と、タイミング設定手段８４と、判別手段６７とにパルス信号を与え、カウント手段６５からのカウント値をタイミング設定手段８４に与え、パーフォレーションセンサＳｐから波形成形手段８３を介して検出信号を判別手段６７と、タイミング設定手段８４とに与え、このタイミング設定手段８４から前記ラインセンサ制御手段８２にスキャニングを実行させる実行タイミングデータを与える信号系を形成している。更に、前記スキャニングデータ記憶部６６で読出した検出データを判別手段６７に与える信号系を形成している。
【００６４】
そして、本スキャン実行手段６４が本スキャンを行う場合には、図９のフローチャートに示すように、前記基準位置から写真フィルムＦを逆方向に搬送した際にスキャニング対象のコマ領域に対応した目標パーフォレーションＦｐｔを検出するまでに前記パーフォレーションセンサＳｐで検出するパーフォレーションの数（計数値）と、この目標パーフォレーションＦｐｔを基準にしたカウント値（開始側と終了側とのカウント値ＳＴ、ＥＤ・図１２、図１３を参照）が前記タイミング設定手段８４にセットされる。この設定の後に、前記同期信号発生回路８１で本スキャンの周波数となるパルス信号を発生させ、このパルス信号と同期して搬送モータＭを逆転方向に駆動することにより写真フィルムＦの搬送を開始し、この搬送時に前記パーフォレーションセンサＳｐでパーフォレーションＦｐの数をカウントする（＃２０１、＃２０２ステップ）。
【００６５】
具体的に説明すると、図１２に示すように、プレスキャンを終えて、基準位置に写真フィルムＦが停止する状況において、スキャニングゲートＧから目標パーフォレーションにおけるスキャニング開始位置までの距離をＸとした場合、この距離Ｘの直前に位置する（スキャニングゲートＧの側に位置する）パーフォレーションＦｐが仮の目標パーフォレーションＦｐｘとなり、この仮の目標パーフォレーションＦｐｘとスキャニングゲートＧとの間に存在するパーフォレーションＦｐの数が目標数となる。
【００６６】
また、図１３に示すように、目標パーフォレーションＦｐｔを基準にしたスキャニング開始側のカウント値ＳＴと、スキャニング終了側のカウント値ＥＤとは、前記パーフォレーションセンサＳｐが目標パーフォレーションＦｐｔを検出（アップエッジを判別）したタイミングを基準にして、前記同期信号発生回路８１からのパルス信号をカウントしたカウント値である。目標パーフォレーションＦｐｔはプリント対象に設定されたコマ毎に設定されるので、夫々の目標パーフォレーションＦｐｔに対して開始側のカウント値ＳＴと、終了側のカウント値ＥＤとが設定される。
【００６７】
また、フィルムスキャナ１は図１２に示すように、スキャニングゲートＧとパーフォレーションセンサＳｐとが距離Ｙだけオフセットしているので、真の目標パーフォレーションＦｐｔはパーフォレーションセンサＳｐから距離Ｘだけ離間した位置のパーフォレーションＦｐとなる。また、同図にはプレスキャンを終了した時点での写真フィルムＦの位置を示しており、この写真フィルムＦの位置が基準位置となる。
【００６８】
尚、写真フィルムＦを搬送する際には、本スキャンでコマ画像データを取得する直前まで写真フィルムＦを高速で搬送し、本スキャンを行う直前に本スキャンに対応した速度まで減速して写真フィルムＦの搬送を行うように処理形態を設定しても良い。
【００６９】
このように写真フィルムＦを逆方向に搬送する場合には、判別ルーチンの処理によって搬送状態が判別され、搬送が不良であることを判別した場合にのみ、エラーデータと、判別のタイミングとを示すデータとが保存される（＃３００、＃２０３、＃２０４ステップ）。判別ルーチン（＃３００）での処理の詳細は後述する。
【００７０】
写真フィルムＦを逆方向に搬送した際には、パルス信号と同期してカウント手段６５がスキャニングデータ記憶部６６のアドレスをデクリメントし、パーフォレーションセンサＳｐからの検出データに基づいてタイミング設定手段８４がパーフォレーションＦｐの数を計数する。そして、計数されたパーフォレーションＦｐの数から、目標とするパーフォレーションＦｐを検出した後に、スキャニングデータ記憶部６６から読出されるタイミングデータがタイミング設定手段８４に与えられ、そのタイミングデータがコマ領域の開始側のカウント値と一致する場合には、前記ラインセンサ制御手段８２に与えて本スキャンを開始する（＃２０５ステップ）。
【００７１】
このようにコマ領域の画像データを取得している際にも、前記判別ルーチンの処理によって搬送状態が判別され、搬送が不良であることを判別した場合にのみ、エラーデータと、判別のタイミングとを示すデータとが保存される（＃３００、＃２０６、＃２０７ステップ）。
【００７２】
本スキャンが開始された時点では写真フィルムＦが前述した基準位置にあるので、前記同期信号発生回路８１からのパルス信号をタイミング設定手段８４でのカウント値が、前記開始側のカウント値ＳＴに達した時点で本スキャンを開始し、取得した画像データを処理装置２に転送すると共に、このタイミング設定手段８４でのカウント値が終了側のカウント値ＥＤに達した時点で、そのコマ領域に対する本スキャン終了する（＃２０７ステップ）。
【００７３】
そして、この本スキャンを、スキャニング対象に設定された全てのコマに対して行った後に、写真フィルムＦの搬送を停止し、エラーデータが存在する場合には、そのエラーデータを前記処理装置２に転送して処理を終了する（＃２０９、＃２１０ステップ）。
【００７４】
つまり、この本スキャンでは、スキャニング対象とするコマ領域に対応した目標パーフォレーションＦｐｔ（Ｆｐｘ）（搬送方向でコマＦｆの上流側に隣接するもの）を特定し、この目標パーフォレーションＦｐｔからコマ領域の上流側（スキャニング開始側）のカウント値ＳＴと、コマ領域の下流側（スキャニング終了側）のカウント値ＥＤとを特定し、目標パーフォレーションＦｐｔに達するまで、パーフォレーションセンサＳｐでパーフォレーションＦｐの数を計数しながら写真フィルムＦを搬送し、この目標パーフォレーションＦｐｔを検出したタイミング（アップエッジでの検出）を基準にして、前記特定された上流側のカウント値ＳＴに対応するだけ搬送モータＭを駆動したタイミングで本スキャンを開始し、この後、前記特定された下流側のカウント値ＥＤに対応するだけ搬送モータＭを駆動したタイミングでスキャニングを停止するように処理のシーケンスが実行される。
【００７５】
ちなみに、本スキャンが行われたコマ画像データを取得した後には、前記オーダ実行手段７７が、コマ画像データと前記オーダデータとを前記写真プリント装置６に転送してコマ画像データを印画紙にプリントする処理が行われるが、前記エラーデータを取得した場合には、前記エラー処理手段７８がエラーデータに対応するコマ画像データを破棄すると共に、再度スキャニングを行う必要があることを示すメッセージをディスプレイ３に表示する。
【００７６】
尚、このエラー処理手段７８の処理として、エラー処理手段７８がエラーデータに対応するコマ画像データを破棄した後に、破棄したコマのコマ画像データを再度スキャニングして取得するように処理形態を設定しても良い。
【００７７】
前記判別ルーチン（＃３００ステップ）の処理の概要を図１０のフローチャート及び図１１のタイミングチャートのように示すことが可能である。つまり、写真フィルムＦを逆方向に搬送する際に、前記スキャニングデータ記憶部６６のパーフォレーション位置記憶手段６６Ａから検出データを読み出し、連続するパーフォレーションＦｐの形成間隔（ピッチ）の情報を取得し、この形成間隔を搬送した際のパルス数を抽出してカウント値Ｃｍとして保存し、この本スキャンでの搬送時にパーフォレーションセンサＳｐの検出結果に基づいて、連続するパーフォレーションＦｐの形成間隔（ピッチ）の情報を取得し、この形成間隔を搬送した際のパルス数を抽出してカウント値Ｃｐを保存する（＃３０１ステップ）。
【００７８】
具体的に説明すると、本スキャンを行う際には、パーフォレーションセンサＳｐが先のパーフォレーションＦｐを検出（アップエッジを検出）したタイミングと、パーフォレーションセンサＳｐが次のパーフォレーションＦｐを検出（アップエッジを検出）したタイミングとの間におけるカウント手段６５からのパルス信号のカウント値が前記カウント値Ｃｐとなる。また、プレスキャンでは本スキャンと逆方向に写真フィルムＦを搬送しているため、前記カウント値Ｃｐに対応したプレスキャン時のカウント値Ｃｍは、先のパーフォレーションＦｐ（プレスキャンでは後）を検出（ダウンエッジを検出）したタイミングと、パーフォレーションセンサＳｐが次（プレスキャンでは先）のパーフォレーションＦｐを検出（ダウンエッジを検出）したタイミングとの間のパルス数がカウント値Ｃｍとなる。
【００７９】
この２種のカウント値を保存する処理は複数のパーフォレーションＦｐを識別し、識別した夫々のパーフォレーションＦｐに対応して並行して行われるものであり、夫々のパーフォレーションＦｐを含むパーフォレーション同士のピッチに対応したカウント値Ｃｍ、Ｃｐを保存すると同時に、カウント値の差の絶対値を算出する（＃３０２、＃３０３ステップ）。次に、カウント値の差の絶対値Ｃｄと、基準値Ｃｘとを比較し、カウント値の差の絶対値Ｃｄが、基準値Ｃｘを超えている場合には、エラーデータをセットする（＃３０３ステップ）。
【００８０】
図１１のタイミングチャートでは、本スキャンにおいて同図において左から１目と２つ目のパーフォレーションＦｐの部位において適正な搬送が行われ、３つ目のパーフォレーションＦｐの部位を搬送する際にスリップを発生している状況を示している。同図から明らかなようにスリップを発生した場合には、パルス信号のカウント値Ｃｐの値が、記憶した検出データのカウント値Ｃｍより大きくなることが分かる。
【００８１】
この判別ルーチン（＃３００ステップ）では、パルス信号のカウント値（パルス数）に基づいて搬送の適・不適を判別しているが、タイミングの差を取得するために専用のカウント手段やタイマを備えても良い。
【００８２】
この判別ルーチン（＃３００ステップ）での処理は、本スキャンを行う際に、プレスキャンにおいて先に保存した、パーフォレーションＦｐの形成間隔に対応したパルス信号のカウント値Ｃｍと、この本スキャンにおいてパーフォレーションＦｐの形成間隔に対応したカウント値Ｃｐとを比較することにより、各ピッチ毎における搬送の適・不適を求め、不適である場合には搬送不良であると判別してエラーデータをセットするのである。
【００８３】
この搬送不良は、一般的に駆動ローラ２４に対して写真フィルムＦがスリップする現象として捉えることが可能であり、搬送不良であることを判別した場合には、コマ画像データの副走査方向でのサイズが適正でなくなるので、前述のように破棄している。
【００８４】
このように、本発明では、プレスキャンと本スキャンとを行うフィルム処理装置において、プレスキャンでフィルム画像データを取得する際に写真フィルムＦを搬送するパルス信号と関連付けてパーフォレーションＦｐの位置を記憶し、本スキャンでコマ画像データを取得する際には、写真フィルムＦの搬送と同期して先に記憶したパーフォレーションＦｐの位置に基づいてパーフォレーションＦｐの形成間隔（ピッチ）の情報を取得し、この形成間隔に対応したパルス数をカウント値Ｃｍとして保存し、更に、このように保存したカウント値Ｃｍと、本スキャンにおいてパーフォレーションＦｐの位置に基づいてパーフォレーションＦｐの形成間隔（ピッチ）の情報を取得し、この形成間隔に対応したパルス数をカウント値Ｃｐとして保存し、夫々のカウント値Ｃｍ、Ｃｐとを複数のパーフォレーションＦｐ毎に比較するので、精度高く搬送不良を判別して高品質のプリント処理を行える。
【００８５】
〔別実施形態〕
本発明は、上記した実施の形態以外に以下のように構成しても良い。
【００８６】
（ａ）前記判別ルーチン（＃３００ステップ）を図１４のフローチャートのように、プレスキャン時と、本スキャン時とのパーフォレーションに対応した形成間隔毎のカウント値の差の絶対値Ｃｄを取得し、既に差の絶対値Ｃｄが存在する場合には差の絶対値Ｃｄを積算する（＃３１０、＃３２２ステップ）。この差の絶対値Ｃｄは正の値と負の値とを取り得るものであり、積算することにより差の絶対値Ｃｄが拡大する場合と小さい値に収束する場合とがある。
【００８７】
この処理によって複数のパーフォレーションＦｐに対応した形成間隔毎に差の値Ｃｄを積算した後に、カウント値の差の絶対値Ｃｄと、基準値Ｃｘとを比較し、差の値Ｃｄが、基準値Ｃｘを超えている場合には、エラーデータをセットする（＃３１２、＃３１３ステップ）。
【００８８】
このように判別ルーチンを設定することにより、例えば、駆動ローラ２４が僅かに変形する等の原因によって搬送速度に僅かに乱れを生ずるが、平均すれば搬送速度が一定である場合には、エラーデータを出力しないで済むものにできる。
【００８９】
（ｂ）実施形態では、フィルムスキャナの主制御ユニットと、この主制御ユニットから伝送されるデータの処理を行う処理装置とで本発明のフィルム処理装置を構成していたが、単一のユニットでフィルム処理装置を構成しても良い。
【００９０】
（ｃ）実施形態では、光電変換部として、写真フィルムＦの長手方向と直交する主走査方向と平行する方向に沿って多数の光電変換素子を配置したラインセンサを示していたが、これに代えて写真フィルムからコマ画像データを１度のタイミングで取得可能な面ＣＣＤ等２次元データを取得可能な光電変換素子を用いるものであっても良い。この種の光電変換素子を用いた場合には、コマ画像データを取得するまで写真フィルムを搬送し、コマ画像データを取得するタイミングで写真フィルムの搬送を停止させるように写真フィルムの搬送形態が設定される。
【産業上の利用可能性】
【００９１】
写真フィルムから取得したコマ画像データをプリント処理以外に、ＤＣ−Ｒ等のメディアに保存する装置に適用することや、インターネット等の通信回線を介して伝送するための装置に適用しても良い。
【図面の簡単な説明】
【００９２】
【図１】フィルム処理装置の斜視図
【図２】フィルムスキャナの構造を示す断面図
【図３】搬送経路を開放したフィルムキャリアの斜視図
【図４】フィルム処理装置の制御系を示すブロック回路図
【図５】プリント処理シーケンスのフローチャート
【図６】プレスキャンモードでの処理時におけるデータの流れの概要を示す図
【図７】本スキャンモードでの処理時におけるデータの流れの概要を示す図
【図８】プレスキャンルーチンのフローチャート
【図９】本スキャンルーチンのフローチャート
【図１０】判別ルーチンのフローチャート
【図１１】検出データとパルス信号と記憶されている検出データとの関係を示すタイミングチャート
【図１２】目標パーフォレーションとパーフォレーションセンサとの位置関係とを示す図
【図１３】本スキャンモードでの処理時における検出信号とパルス信号とを示すタイミングチャート
【図１４】判別ルーチンのフローチャート
【符号の説明】
【００９３】
６５          カウント手段
６６          カウント値記憶手段：スキャニングデータ記憶部
６６Ａ        パーフォレーション位置記憶手段
６６Ｂ        スキャニング位置記憶手段
６７          判別手段
７４          コマ領域抽出手段
Ｂ            搬送部：フィルムキャリア
Ｄ            光電変換部：光電変換ユニット
Ｆ            写真フィルム
Ｆｐ          パーフォレーション
Ｓｐ          パーフォレーション検出部：パーフォレーションセンサ
Ｍ            搬送モータ
【図１】
2006339992.tif 000003
【図２】
2006339992.tif 000004
【図３】
2006339992.tif 000005
【図４】
2006339992.tif 000006
【図５】
2006339992.tif 000007
【図６】
2006339992.tif 000008
【図７】
2006339992.tif 000009
【図８】
2006339992.tif 000010
【図９】
2006339992.tif 000011
【図１０】
2006339992.tif 000012
【図１１】
2006339992.tif 000013
【図１２】
2006339992.tif 000014
【図１３】
2006339992.tif 000015
【図１４】
2006339992.tif 000016